(57)【要約】【課題】雄ネジ部を回動調整可能な状態に維持しながら、緩みを防止し、ロッド突出長が調整時から変ることによる施錠不能、解錠不能を防止する。【解決手段】係止ロッド２３の緩み止め構造において、レバーハンドル２１の回転に従動して上下移動されるスライドラック３１と、スライドラック３１に固定され上下方向の貫通穴が形成された連結ブロック３３と、貫通穴の一部分に形成された雌ネジと、この雌ネジに雄ネジを螺合しスライドラック３１の上下移動に応じて下端が地面の係止凹部２９に対して抜脱又は挿入される係止ロッド２３と、雄ネジの外周面における一部分を軸線と平行な面で形成した回転止め面と、貫通穴の軸線直交方向で連結ブロック３３に穿設され貫通穴と一部分を共有する規制手段挿入孔と、規制手段挿入孔に挿入され回転止め面に側面が接することで雄ネジの回動を規制する回転止め手段とを具備した。【選択図】      図１
2008202297.tif 000002
【特許請求の範囲】
【請求項１】
扉に回動自在に設けられたレバーハンドルと、
前記レバーハンドルの回転に従動して上下移動されるスライドラックと、
前記スライドラックに固定され上下方向の貫通穴が形成された連結ブロックと、
前記貫通穴の一部分に形成された雌ネジと、
上端に形成された雄ネジを前記雌ネジに螺合し前記スライドラックの上下移動に応じて下端が地面の係止凹部に対して抜脱又は挿入される係止ロッドと、
前記雄ネジの外周面における一部分を軸線と平行な面で形成した回転止め面と、
前記貫通穴の軸線直交方向で前記連結ブロックに穿設され前記貫通穴と一部分を共有する規制手段挿入孔と、
該規制手段挿入孔に挿入され前記回転止め面に側面が接することで前記雄ネジの回動を規制する回転止め手段と、
を具備したことを特徴とする係止ロッドの緩み止め構造。
【請求項２】
前記規制手段挿入孔が、雌ネジで形成され、
前記回転止め手段が、雄ネジで形成されたことを特徴とする請求項１記載の係止ロッドの緩み止め構造。
【請求項３】
前記回転止め手段の頭部が、前記扉の木口に穿設された調整穴から表出されることを特徴とする請求項２記載の係止ロッドの緩み止め構造。
【請求項４】
前記貫通穴における前記雌ネジの形成された部分以外の部分に、前記雄ネジに内周を摺接させるガイドパイプが挿嵌されたことを特徴とする請求項１，２，３のいずれか１つに記載の係止ロッドの緩み止め構造。
【発明の詳細な説明】
【技術分野】
【０００１】
本発明は、扉の例えば下部からロッドを突出可能とした係止ロッドの緩み止め構造に関し、特に、螺合状態に取り付けられるロッドの緩みを防止する改良技術に関する。
【背景技術】
【０００２】
門扉には、扉の開閉端側の下部に、係止用のロッドを下方へ突出自在に設け、地面に設けた係止凹部にロッドを挿入することで、扉を施錠可能とする落し錠や、グレモン錠（例えば特許文献１参照）が取り付けられることがある。この種のロッドの落し錠は、扉に昇降自在なスライドラックが内蔵され、スライドラックは扉に回動自在に設けられたレバーハンドルの回動操作に従動して昇降自在となっている。スライドラックには雌ネジ部が形成され、雌ネジ部はロッドの上端に形成された雄ネジ部を螺合している。
【０００３】
したがって、レバーハンドルが操作され、スライドラックが昇降されると、これに伴ってロッドも昇降され、ロッドの下端部である係止杆が、地面に設けられた係止凹部に対して抜脱又は挿入され、扉が解錠又は施錠される。従来、この種の落し錠は、異なるロッド突出長の扉に採用可能となるように、ロッドの雄ネジ部がスライドラックの雌ネジ部に螺合され、ロッドの突出長が自在に調整できるようになっていた。また、ロッドの雄ネジ部には、スライドラックに対する雄ネジ部の回動を規制するために、緩み止めナット等の螺合される場合もあった。
【特許文献１】特開２００２−４７８４１号公報
【発明の開示】
【発明が解決しようとする課題】
【０００４】
しかしながら、従来のロッドは、昇降部材であるスライドラック等に設けられた雌ネジ部に、ロッドの雄ネジ部を螺合させていたため、経時的に外力や振動によるモーメントの発生で、ロッドが回動し、ロッド突出長が調整時から変ることがあった。そして、ロッド突出長が短く変われば施錠不能となり、長く変われば解錠不能となる虞があった。また、ロッドの雄ネジ部に緩み止めナットを螺合したり、雄ネジ部に直交する方向から緩み止めネジを押圧する構成もあるが、雄ネジ部のネジ山を変形させ易く、後の突出長調整が不能となる場合があった。これに対し、ロッドの突出長を固定長とすれば、異なるロッド突出長の扉に採用できなくなり、汎用性を低下させる不利が生じた。
【０００５】
本発明は上記状況に鑑みてなされたもので、雄ネジ部を回動調整可能な状態、特に損傷の無い状態に維持しながら、緩みを防止することができる係止ロッドの緩み止め構造を提供し、もって、ロッド突出長さが調整時から変ることによる施錠不能、解錠不能の防止を図ることを目的とする。
【課題を解決するための手段】
【０００６】
次に、上記の課題を解決するための手段を、実施の形態に対応する図面を参照して説明する。
本発明の請求項１記載の係止ロッドの緩み止め構造は、扉１５に回動自在に設けられたレバーハンドル２１と、
前記レバーハンドル２１の回転に従動して上下移動されるスライドラック３１と、
前記スライドラック３１に固定され上下方向の貫通穴５１が形成された連結ブロック３３と、
前記貫通穴５１の一部分に形成された雌ネジ５２と、
上端に形成された雄ネジ３５を前記雌ネジ５２に螺合し前記スライドラック３１の上下移動に応じて下端が地面２５の係止凹部２９に対して抜脱又は挿入される係止ロッド２３と、
前記雄ネジ３５の外周面における一部分を軸線と平行な面で形成した回転止め面６９と、
前記貫通穴５１の軸線直交方向で前記連結ブロック３３に穿設され前記貫通穴５１と一部分を共有する規制手段挿入孔６３と、
該規制手段挿入孔６３に挿入され前記回転止め面６９に側面３９ｂが接することで前記雄ネジ３５の回動を規制する回転止め手段３９と、
を具備したことを特徴とする。
【０００７】
この係止ロッドの緩み止め構造では、回転止め手段３９が規制手段挿入孔６３から外された状態で、雌ネジ５２に対して雄ネジ３５が回動され、係止ロッド２３の連結ブロック３３からの突出長さが所定の長さに設定された後、回転止め面６９が規制手段挿入孔６３に一致される。回転止め面６９が規制手段挿入孔６３に一致した状態で、回転止め手段３９が規制手段挿入孔６３に挿入されることで、回転止め手段３９の側面３９ｂが回転止め面６９に当たり、雄ネジ３５の回動、すなわち、係止ロッド２３の緩みが規制される。
【０００８】
請求項２記載の係止ロッドの緩み止め構造は、前記規制手段挿入孔６３が、雌ネジで形成され、
前記回転止め手段３９が、雄ネジで形成されたことを特徴とする。
【０００９】
この係止ロッドの緩み止め構造では、係止ロッド２３の突出長さを調整する際には、回転止め手段３９である雄ネジが貫通穴５１から退避する位置まで緩められ、調整後、係止ロッド２３の回動を規制する際には、再び回転止め手段３９が貫通穴５１へ進出されることで、回転止め手段３９の側面３９ｂが回転止め面６９に当たって、係止ロッド２３の緩みが規制される。
【００１０】
請求項３記載の係止ロッドの緩み止め構造は、前記回転止め手段３９の頭部３９ａが、前記扉１５の木口に穿設された調整穴から表出されることを特徴とする。
【００１１】
この係止ロッドの緩み止め構造では、扉１５が開かれ、木口が表出されることで、回転止め手段３９の頭部３９ａが調整穴から視認可能となり、係止ロッド２３の突出長さ調整、緩み規制が、カバー部材や蓋部材などを取り外すことなく、扉１５を開くのみで可能となる。また、扉１５が閉止されれば、回転止め手段３９が表出しなくなる。
【００１２】
請求項４記載の係止ロッドの緩み止め構造は、前記貫通穴５１における前記雌ネジ５２の形成された部分以外の部分に、前記雄ネジ３５に内周を摺接させるガイドパイプ５３が挿嵌されたことを特徴とする。
【００１３】
この係止ロッドの緩み止め構造では、雌ネジ５２に螺合された雄ネジ３５の当該雌ネジ螺合以外の部分での貫通穴５１において、当該雄ネジ３５がガイドパイプ５３を介して貫通穴５１の内周壁に接することとなり、貫通穴内における係止ロッド２３の径方向のガタツキが無くなる。
【発明の効果】
【００１４】
本発明に係る請求項１記載の係止ロッドの緩み止め構造によれば、スライドラックに固定され貫通穴の形成された連結ブロックと、貫通穴の雌ネジに螺合する係止ロッドと、係止ロッドの雄ネジに形成した回転止め面と、連結ブロックに穿設された規制手段挿入孔に挿入され回転止め面に側面が接することで雄ネジの回動を規制する回転止め手段とを備えたので、回転止め手段を規制手段挿入孔から外した状態で、雌ネジに対して雄ネジを回動させて、係止ロッドの連結ブロックからの突出長さを所定の長さに設定した後、回転止め面を規制手段挿入孔に一致させ、回転止め手段を挿入することで、回転止め手段の側面が回転止め面に当たり、雄ネジの回動、すなわち、係止ロッドの緩みを規制することができる。この結果、異なるロッド突出長の落し錠に適用可能となり、汎用性を高めることができるとともに、雄ネジを回動調整可能な状態、すなわちネジ山を潰すなどの損傷の無い状態に維持しながら、緩みを確実に防止することができ、係止ロッドの突出長さが調整時から変ることによる施錠不能、解錠不能を防止でき、またさらに係止ロッドの突出長さを再度変更したい場合においても、対応可能となる。
【００１５】
請求項２記載の係止ロッドの緩み止め構造によれば、規制手段挿入孔を雌ネジで形成し、回転止め手段を雄ネジで形成したので、係止ロッドの突出長さを調整する際には、回転止め手段である雄ネジが貫通穴から退避する位置まで緩められ、調整後の係止ロッドの回動を規制する際には、再び回転止め手段を貫通穴へ進出させることで、回転止め手段の側面を回転止め面に当てて係止ロッドの緩みを規制できる。つまり、回転止め手段を規制手段挿入孔に装着したままで、係止ロッドの回動規制解除と回動規制とが簡便に可能となり、回転止め手段の紛失も防止できる。
【００１６】
請求項３記載の係止ロッドの緩み止め構造によれば、回転止め手段の頭部を、扉の木口に穿設した調整穴から表出させたので、扉を開き、木口を表出させれば、回転止め手段の頭部が調整穴から視認可能となり、係止ロッドの突出長さ調整、緩み規制が、カバー部材や蓋部材などを取り外すことなく、扉を開くのみで簡便に行えるようになる。また、扉が閉止されれば、回転止め手段が表出しないので、悪戯され難くすることができる。
【００１７】
請求項４記載の係止ロッドの緩み止め構造によれば、貫通穴における雌ネジの形成された部分以外の部分に、内周を雄ネジに摺接させるガイドパイプを挿嵌したので、雌ネジに螺合された雄ネジの当該雌ネジ螺合以外の部分での貫通穴において、当該雄ネジがガイドパイプを介して貫通穴の内周壁に接することとなり、貫通穴内における係止ロッドの半径方向のガタツキを無くすことができる。
【発明を実施するための最良の形態】
【００１８】
以下、本発明に係る係止ロッドの緩み止め構造の好適な実施の形態を図面を参照して詳細に説明する。
図１は本発明に係る緩み止め構造の適用された門扉の正面図である。
本実施の形態による緩み止め構造は、例えば門柱１１にヒンジ１３を介して開閉自在に取り付けられた門扉１５の落し錠１００に好適に用いられる。落し錠１００は、下方向にスライドして突出する係止ロッド２３を備える。係止ロッド２３は、地面２５に設けられる係止凹部２９に、先端の係止杆２３ａが挿入されることで、門扉１５の開動を規制して施錠する。係止凹部２９は、地面２５に挿嵌されるキャップ状部品２７に形成されている。
【００１９】
落し錠１００は、錠箱１７を門扉１５に内蔵してなる。錠箱１７にはシリンダ錠１９，不図示のサムターン、レバーハンドル２１が設けられ、シリンダ錠１９は門扉１５の表面に表出する。不図示のサムターンは門扉１５の裏面に表出し、レバーハンドル２１は門扉１５の表裏面で回動自在となって表出する。落し錠１００は、レバーハンドル２１の回転に従動して上下移動されるスライドラック３１を有する。スライドラック３１には連結ブロック３３が固定され、連結ブロック３３は後に詳述する構造により上記の係止ロッド２３を所望の突出長に調整可能に且つ緩みを生じさせることなく連結する。
【００２０】
図２は図１に示した緩み止め構造の側面図である。
スライドラック３１にはラック３１ａが形成され、ラック３１ａは落し錠１００の後述する歯車に噛合する。スライドラック３１の下部には連結ブロック３３が固定ビス３７によって固定され、連結ブロック３３はスライドラック３１と一体に上下移動される。連結ブロック３３には回転止め手段（雄ネジ）３９が螺合され、回転止め手段３９は後に詳述するように連結ブロック３３に螺合された係止ロッド２３の雄ネジ３５を回動規制する。
【００２１】
図３は落し錠の内部構造を表した構成図である。
錠箱１７には固定用のフランジ１７ａが上下に設けられ、フランジ１７ａはネジ４１によって門扉１５の戸先板に螺着される。錠箱１７の略中央にはレバーハンドル軸２１ａが回動自在に設けられ、レバーハンドル軸２１ａの一端には扉面で回動自在となるレバーハンドル２１が固定される。
【００２２】
レバーハンドル軸２１ａの錠箱１７内にはカム板２１ｂが固定され、カム板２１ｂはスライド板４３の長穴４３ａに係合ピン２１ｃを係合している。すなわち、スライド板４３は、レバーハンドル２１が操作されることにより、レバーハンドル軸２１ａが略９０°の回転角度範囲で回転し、カム板２１ｂ、係合ピン２１ｃを介して上下に移動される。スライド板４３は、一端を錠箱１７のピンに支持し、他端をスライド板４３のピンに支持したスイッチングバネ４２によって、上下何れかの移動位置に付勢配置される。
【００２３】
錠箱１７には施解錠軸１９ａが回動自在に設けられ、施解錠軸１９ａは一端に扉表面のシリンダ錠１９が連結され、他端に扉裏面のサムターン摘みが連結されている。錠箱１７内における施解錠軸１９ａにはダルマ４４が固定され、ダルマ４４は錠箱１７内に起立した一対の凸部に当接することで、施解錠軸１９ａの回転角度を略９０°の範囲に規制している。ダルマ４４は、付勢バネ４６の一端に押圧され、これにより回転範囲の何れか一方に付勢配置される。
【００２４】
スライド板４３には上下に歯部を並設したラック４７が形成される。錠箱１７には支持軸４８によって小歯車４９ａが回動自在に支持され、小歯車４９ａはラック４７に噛合している。小歯車４９ａには一体回転する大歯車４９ｂが設けられ、大歯車４９ｂはスライドラック３１のラック３１ａに噛合している。スライドラック３１は、ラック３１ａの形成される縦杆部３１ｂに上下に長い長穴３１ｃが形成され、この長穴３１ｃが門扉１５の内部に設けられた不図示のガイド部に案内される。
【００２５】
落し錠１００は、レバーハンドル２１が回転操作されると、スライド板４３が上下移動され、これに伴って小歯車４９ａ及び大歯車４９ｂが回転し、大歯車４９ｂに噛合するスライドラック３１が従動して上下移動され、係止ロッド２３の係止杆２３ａが係止凹部２９に対して抜脱又は挿入される。
【００２６】
錠箱１７内にはロッキングボード４５が揺動自在に設けられ、ロッキングボード４５は上端に移動したスライド板４３に係止して、スライド板４３の下方向への移動を規制する。つまり、係止凹部２９に対する係止杆２３ａの抜脱を規制する。このロッキングボード４５の係止解除方向の回転（図３の反時計回りの回転）は、上記したダルマ４４によって規制される。つまり、スライド板４３の下降は、ロッキングボード４５と、このロッキングボード４５を規制するダルマ４４とによって二段階でロックされるようになっている。
【００２７】
図４は緩み止め構造の分解斜視図、図５は雄ネジの螺合された連結ブロックの一部分を切り欠いた斜視図である。
スライドラック３１の下端には固定孔５７が穿設され、固定孔５７は固定ビス３７を挿通する。連結ブロック３３にはネジ穴５５が形成され、ネジ穴５５は固定ビス３７と螺合する。つまり、連結ブロック３３は、固定ビス３７によってスライドラック３１の端に螺着固定される。
【００２８】
また、スライドラック３１の下端には穴６５が穿設され、穴６５はワッシャ６１に通した回転止め手段３９を挿通する。この回転止め手段３９は、後述の規制手段挿入孔６３に螺合される。
【００２９】
連結ブロック３３には上下方向の貫通穴５１が形成され、貫通穴５１はその一部分である下部に雌ネジ５２を形成している。この雌ネジ５２は、係止ロッド２３の雄ネジ３５と螺合する。つまり、係止ロッド２３は、上端に形成された雄ネジ３５を、この雌ネジ５２に螺合しスライドラック３１の上下移動に応じて下端が係止凹部２９に対して抜脱又は挿入される。
【００３０】
雄ネジ３５の外周面には回転止め面６９が設けられ、回転止め面６９は雄ネジ３５における一部分を軸線と平行な面で切除などの加工で形成されている。図５に示すように、規制手段挿入孔６３は、貫通穴５１の軸線直交方向で連結ブロック３３に穿設され、その先端が貫通穴５１と交差状に連通して一部分６３ａ（図６参照）を共有する。回転止め手段３９は、この規制手段挿入孔６３に挿入され、回転止め面６９に側面が接することで、雄ネジ３５の回動を規制する。
【００３１】
本実施の形態において、規制手段挿入孔６３は雌ネジで形成され、回転止め手段３９は雄ネジで形成される。規制手段挿入孔６３を雌ネジで形成し、回転止め手段３９を雄ネジで形成することにより、係止ロッド２３の突出長さを調整する際には、回転止め手段３９である雄ネジが貫通穴５１から退避する位置まで緩められ、調整後の係止ロッド２３の回動を規制する際には、再び回転止め手段３９を貫通穴５１へ進出させることで、回転止め手段３９の側面を回転止め面６９に当てて係止ロッド２３の緩みを規制できる。つまり、回転止め手段３９を規制手段挿入孔６３に装着したままで、係止ロッド２３の回動規制解除と回動規制とが簡便に可能となり、回転止め手段３９の紛失も防止できるようになっている。
【００３２】
回転止め手段３９は、頭部３９ａが、門扉１５の木口に穿設された不図示の調整穴から表出されることが好ましい。回転止め手段３９の頭部３９ａを、門扉１５の木口に穿設した調整穴から表出させることにより、門扉１５を開き、木口を表出させれば、回転止め手段３９の頭部３９ａが調整穴から視認可能となり、係止ロッド２３の突出長さ調整、緩み規制が、カバー部材や蓋部材などを取り外すことなく、門扉１５を開くのみで簡便に行えるようになる。また、門扉１５が閉止されれば、回転止め手段３９が表出しないので、悪戯され難くすることができる。
【００３３】
貫通穴５１における雌ネジ５２の形成された部分以外の部分にはガイドパイプ５３が挿嵌され、ガイドパイプ５３は、雄ネジ３５に内周を摺接させるとともに外周を貫通穴５１に密接する。なお、図４中、５３ａは、回転止め手段３９を貫通穴５１へ進入させるための開口を示す。貫通穴５１における雄ネジ３５の形成された部分以外の部分に、内周を雄ネジ３５に摺接させるガイドパイプ５３を挿嵌したので、雌ネジ５２に螺合された雄ネジ３５の当該雌ネジ螺合以外の部分での貫通穴５１において、当該雄ネジ３５がガイドパイプ５３を介して貫通穴５１の内周壁に接することとなり、貫通穴内における係止ロッド２３の半径方向のガタツキを無くすことができる。
【００３４】
なお、貫通穴５１の全長に雌ネジ５２を形成した場合には、この雌ネジ５２と、規制手段挿入孔６３やこの規制手段挿入孔６３に形成した雌ネジ（本実施の形態では形成されていない）とが共有部分の境界で相互に侵食し合うこととなり、経時変化等によって双方の螺合性を低下させることとなる。これに対し、本実施の形態による構成によれば、少なくとも規制手段挿入孔６３との共有部分には雌ネジ５２が形成されていないので、このような螺合性の低下が回避され、係止ロッド２３の良好な回動調整状態が維持され続けることとなる。
【００３５】
次に、係止ロッドの緩み止め構造の作用を説明する。
図６は雄ネジ調整中を（ａ）、調整完了状態を（ｂ）に表した連結ブロックの断面図、図７は回転止め手段により雄ネジの回動が規制された連結ブロックの断面図である。
門扉１５の下端には係止ロッド２３を挿入するための開口が設けられている。係止ロッド２３は、門扉１５に取り付ける前に、予め連結ブロック３３の雌ネジ５２に突出長が最短となるようにして螺合しておく。なお、この際、回転止め手段３９は、貫通穴５１から退避する位置まで緩めておくか、規制手段挿入孔６３から除去しておく。これにより、雄ネジ３５が回動自在となる。
【００３６】
門扉１５を門柱１１に取り付けられた状態で、落し錠１００を施錠状態とする。この状態で、図６（ａ）に示すように、係止ロッド２３の係止杆２３ａが係止凹部２９に所定深さで進入するよう、雄ネジ３５を回動させて、係止杆２３ａの突出長を調整する。係止ロッド２３の突出長が定まったなら、図６（ｂ）に示すように、雄ネジ３５の回転止め面６９を、規制手段挿入孔６３に一致させる。その後、図７に示すように、規制手段挿入孔６３に、回転止め手段３９を螺合することで、側面３９ｂを回転止め面６９に接触させる。
【００３７】
このように、緩み止め構造では、回転止め手段３９が規制手段挿入孔６３から外された状態で、雌ネジ５２に対して雄ネジ３５が回動され、係止ロッド２３の連結ブロック３３からの突出長さが所定の長さに設定された後、回転止め面６９が規制手段挿入孔６３に一致される。回転止め面６９が規制手段挿入孔６３に一致した状態で、回転止め手段３９が規制手段挿入孔６３に挿入されることで、回転止め手段３９の側面３９ｂが回転止め面６９に当たり、雄ネジ３５の回動、すなわち、係止ロッド２３の緩みが規制されることとなる。
【００３８】
係止ロッドの緩み止め構造によれば、スライドラック３１に固定され貫通穴５１の形成された連結ブロック３３と、貫通穴５１の雌ネジ５２に螺合する係止ロッド２３と、係止ロッド２３の雄ネジ３５に形成した回転止め面６９と、連結ブロック３３に穿設された規制手段挿入孔６３に挿入され回転止め面６９に側面３９ｂが接することで雄ネジ３５の回動を規制する回転止め手段３９とを備えたので、回転止め手段３９を規制手段挿入孔６３から外した状態で、雌ネジ５２に対して雄ネジ３５を回動させて、係止ロッド２３の連結ブロック３３からの突出長さを所定の長さに設定した後、回転止め面６９を規制手段挿入孔６３に一致させ、回転止め手段３９を挿入することで、回転止め手段３９の側面３９ｂが回転止め面６９に当たり、雄ネジ３５の回動、すなわち、係止ロッド２３の緩みを規制することができる。
【００３９】
この結果、異なるロッド突出長の落し錠１００に適用可能となり、汎用性を高めることができるとともに、雄ネジ３５を回動調整可能な状態、すなわちネジ山を潰すなどの損傷の無い状態に維持しながら、緩みを確実に防止することができ、係止ロッド２３の突出長さが調整時から変ることによる施錠不能、解錠不能を防止できる。
【００４０】
なお、地面２５に設ける係止凹部２９にはキャップ状部品２７を着脱自在に装着することが好ましい。これにより、係止凹部２９に進入したゴミをキャップ状部品２７の脱着によって容易に除去できる。
【００４１】
また、上記の実施の形態では、係止ロッド２３が門扉１５の下端より突出する例を説明したが、係止ロッド２３は、上端から突出しても良く、さらには上下端から同時に突出する所謂グレモン錠用ロッドであってもよい。
【図面の簡単な説明】
【００４２】
【図１】本発明に係る緩み止め構造の適用された門扉の正面図である。
【図２】図１に示した緩み止め構造の側面図である。
【図３】落し錠の内部構造を表した構成図である。
【図４】緩み止め構造の分解斜視図である。
【図５】雄ネジの螺合された連結ブロックの一部分を切り欠いた斜視図である。
【図６】雄ネジ調整中を（ａ）、調整完了状態を（ｂ）に表した連結ブロックの断面図である。
【図７】回転止め手段により雄ネジの回動が規制された連結ブロックの断面図である。
【符号の説明】
【００４３】
１５…扉（門扉）
２１…レバーハンドル
２３…係止ロッド
２５…地面
２９…係止凹部
３１…スライドラック
３３…連結ブロック
３５…雄ネジ
３９…回転止め手段
３９ａ…頭部
３９ｂ…側面
５１…貫通穴
５２…雌ネジ
５３…ガイドパイプ
６３…規制手段挿入孔
６３ａ…共有する一部分
６９…回転止め面
１００…落し錠
【図１】
2008202297.tif 000003
【図２】
2008202297.tif 000004
【図３】
2008202297.tif 000005
【図４】
2008202297.tif 000006
【図５】
2008202297.tif 000007
【図６】
2008202297.tif 000008
【図７】
2008202297.tif 000009